(57)【要約】  【課題】  カバン類に補充的に配置して小物を収納する小物収容具の収容形態を簡易に変更する。  【解決手段】  この小物収容具１００は、基材１０の各面１０ａ、１０ｂに収納部３０を取り付けてなり、基材半体１１、１２が対面するように中間部１３を境にしてＵ字形に折り曲げ、バッグ２００に収容して使用する。折り曲げた状態は保持部材２０、２１により保持される。どちらの面を中に入れて折り曲げるかにより、異なる態様で収納部３０を配置することができる。【選択図】  図１
2006015027.tif 000002
【特許請求の範囲】
【請求項１】
基材半体を対面させた態様で、どちらの面を内側にしても折り曲げることができる薄板上の基材と、
上記基材の少なくとも一方の面に取り付けられた小物収納部と、
上記基材がどちらの面を内側にして折り曲げられても上記基材の折り曲げられた状態を保持する保持部材とを有することを特徴とする小物収容具。
【請求項２】
上記保持部材は、上記基材が折り曲げられたときに互いに対面する位置から伸びる保持部材半体を含み、当該保持部材半体同士を結合して上記基材の折り曲げられた状態を保持する請求項１記載の小物収容具。
【請求項３】
上記保持部材半体は面ファスナ部を具備し、対応する保持部材半体の面ファスナ部同士が結合する請求項２記載の小物収容具。
【請求項４】
上記保持部材半体は、上記基材半体の間にある中間部と上記基材半体の自由端との間の位置で、上記基材半体の側部に設けられた請求項２または３記載の小物収容具。
【請求項５】
上記基材は上記基材全体にわたって配される一連の樹脂材料を含み、上記基材の折り曲げを容易にする溝を形成した請求項１、２、３または４記載の小物収容具。
【請求項６】
上記基材の上記基材半体の間にある中間部にクッション部材を配置した請求項１、２、３、４または５記載の小物収容具。
【請求項７】
基材半体を対面させた態様で、どちらの面を内側にしても折り曲げることができる薄板上の基材と、
上記基材の少なくとも一方の面に取り付けられた小物収納部とを有することを特徴とする小物収容具。
【発明の詳細な説明】
【技術分野】
【０００１】
この発明は、筆記具・携帯電話・印鑑・手帳・カードなどの小物の収納に適した書類入れカバン、女性用バッグ、リュックサック等のカバン類の中仕切、その他、カバン類への収容に適した小物収容具に関し、とくに、裏返すという簡易な作業により異なる態様で小物を収容できるようにしたものである。
【背景技術】
【０００２】
デザインを重視したカバン類例えば女性用の高級バッグでは小物収容部不足している。
【０００３】
このような点から、補充的に追加される中仕切や板部材に適宜に小物収納部を設ける提案がなされている（特許文献１、特許文献２）。また、ハンドバッグに補助的なポーチを着脱自在に取り付けることも提案されている（特許文献３）。なお、以下では、このような追加的な中仕切、板部材、ポーチ等を単に小物収容具と呼ぶこともある。
【０００４】
本発明者は鋭意研究を重ね、中仕切のような基材を折り曲げて小物収容具を構成し、さらに、折り曲げた際に中に入る面を変えることにより、簡易に収容態様を異ならせることが可能になるという、発見に到達した。
【特許文献１】実開平３−５５７２８号公報
【特許文献２】実開平４−１３１３２２号公報
【特許文献３】登録実用新案公報第３０２１７５８号
【発明の開示】
【発明が解決しようとする課題】
【０００５】
この発明は、以上の事情を考慮してなされたものであり、小物を収容できるのみでなく、簡易に収納態様を異ならせることができる小物集用具を提供することを目的としている。
【課題を解決するための手段】
【０００６】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００７】
すなわち、この発明の一側面によれば、上述の目的を達成するために、小物収容具１００に：基材半体１１、１２を対面させた態様で、どちらの面を内側にしても折り曲げることができる薄板上の基材１０と；上記基材の少なくとも一方の面１０ａ、１０ｂに取り付けられた小物収納部３０と；上記基材１０がどちらの面を内側にして折り曲げられても上記基材１０の折り曲げられた状態を保持する保持部材２０、２１とを設けるようにしている。
【０００８】
この構成においては、どちらの面を内側にするかに応じて異なる態様で収納部３０を配置でき、簡易に収容態様を変更できる。
基材１０は例えばポリプロピレン等の樹脂製であり、装飾、補強、収納部取付の目的で布等からなるカバーを一部または前面に設けても良い。
【０００９】
上記保持部材２０、２１は、上記基材１０が折り曲げられたときに互いに対面する位置から伸びる保持部材半体２０ａ、２０ｂ、２１ａ２１ｂを含み、当該保持部材半体同士を結合して上記基材の折り曲げられた状態を保持することが好ましい。
【００１０】
上記保持部材半体は面ファスナ部を具備し、対応する保持部材半体の面ファスナ部同士が結合するようにすることが好ましい。この場合、一方の保持部材半体２０ａ、２１ａの面ファスナ部がループであり、他方の保持部材半体２０ｂ、２１ｂの面ファスナ部がフックである。保持部材半体２０ａ、２１ａのファスナ係合面と保持部材半体２０ｂ、２１ｂのファスナ係合面とは平坦にした状態では表裏の配置となる。基材１０の一方の面１０ａと他方の面１０ｂとは対称であるので、どちらの面を内側にした場合でも同一の保持部材２０、２１で保持できる。保持部材は１つであってもよい。
【００１１】
上記保持部材半体は、上記基材半体の間にある中間部と上記基材半体の自由端との間の位置で、上記基材半体の側部に設けられることが好ましい。もちろん、上記基材半体の自由端設けても良い。基材１０を折り曲げた状態でカバン類に収容するが、中間部（底部）を下にして収容しても良いし、側部を下にして（すなわち中間部を横にして）収容しても良い。中間部を下にして配置する場合には、上記保持部材半体を上記基材半体の側部に設ける方が、物の出し入れの邪魔にならない。
【００１２】
上記基材は上記基材全体にわたって配される一連の樹脂材料を含み、上記基材の折り曲げを容易にする溝を形成してもよい。また折り曲げを容易にするために可撓性の大きな材料を選んだり、厚みを薄くしたりしても良い。
【００１３】
上記基材の形状や大きさは基本的にはカバン類の形状に適合して選択され、典型的には、矩形板状であるが、円形にしたり、楕円形にしたり、菱形にしたり、その他種々の変更が可能である。
【００１４】
また、上記基材の上記基材半体の間にある中間部（底部）にクッション部材を配置してもよい。
【００１５】
また、この発明の他の側面によれば、上述の目的を達成するために、小物収容具１００に：基材半体１１、１２を対面させた態様で、どちらの面を内側にしても折り曲げることができる薄板上の基材１０と；上記基材の少なくとも一方の面に取り付けられた小物収納部とを設けるようにしている。
【００１６】
この構成においても、どちらの面を内側にするかに応じて異なる態様で収納部３０を配置でき、簡易に収容態様を変更できる。
【００１７】
折り曲げた状態が保持されるようにバンド等で締めつけるようにすることが好ましいが、カバン類に収容した状態で、折り曲げた状態が保持される場合には、バンド等を用いなくても良い。
【００１８】
この発明の上述の側面およびこの発明の他の側面は特許請求の範囲に記載され、以下、実施例を用いて詳細に説明される。
【発明を実施するための最良の形態】
【００１９】
以下、この発明の実施例について説明する。
【実施例１】
【００２０】
まず、この発明を女性用の小型バッグ用の小物収容具に適用した実施例１について説明する。
【００２１】
図１は、実施例１の小物収容具１００の使用態様を示す。この小物収容具１００は例えば図５（ａ）に示すように女性用のバッグ２００に収容される。なお、図１において、小物収容具１００の基材１０の面のうち、折り曲げられて対面する面を、便宜上、内側表面１０ａと呼び、逆の方向を向く面を、便宜上、外側表面１０ｂと呼ぶことにする。図２は、実施例１の小物収容具１００の基材１０の内側表面１０ａの平面図であり、図３は、実施例１の小物収容具１００の基材１０の外側表面１０ｂの平面図である。
【００２２】
なお、後述の説明から明らかなように、内側表面１０ａが外側に折り返されることもあるし、外側表面１０ｂが内側に折り返されることもある。「内側」および「外側」は便宜上そのように呼ぶだけであり、何ら限定を加えるものではない。
【００２３】
図１、図２および図３において、この小物収容具１００は、本来、図１に一転鎖線で示すような、平坦のものであり、これを図１に矢印に示すように例えばＵ字形状の折り曲げてバッグ２００（図５）に収容して使用する。折り曲げた状態は保持部材２０、２１により保持される（保持部材２１は図１では隠れている。図４参照）。なお、基材１０のうち、折り曲げられて構成される２つの部分１１、１２を基材半体と呼び基材半体１１、１２の間の連結部分１３を中間部（底部ともいう）と呼ぶ。
【００２４】
小物収容具１００は、基本的にはポリプロピレンのような樹脂材料から構成された矩形板状の基材１０を含む。基材１０の大きさは例えば約２２０ｍｍ×約３８０ｍｍである。厚さは、弾性等に左右されるが、典型的には、約１ｍｍである。基材１０には布等からなる装飾用または補強用等の目的でカバーが被覆されていても良い。基材１０の内側表面１０ａおよび外側表面１０ｂにはそれぞれ複数の収納部３０（便宜上、収納部の一部に符号３０を付す。符号を付していない収納分もある）が設けられている。収納部３０の形状や大きさは収納目的に応じたものであり、また適宜に蓋３１（便宜上、蓋の一部に符号３０を付す。符号を付していない蓋もある）が設けられる。
【００２５】
基材１０の内側表面１０ａには、例えば、日常生活上よく用いる物を収容する収納部３０を設けるが、これに限定されない。内側表面１０ａに取り付けられる収納部３０は、例えば、ペン差し用Ａ（直径約１１ｍｍ〜約１５ｍｍ）、カードホルダ用Ｂ（幅約９４ｍｍ）、ウェットティッシュ等生活用品用Ｃ（幅約９０ｍｍ、高さ約１４０ｍｍ）、タオル・ハンカチ用Ｄ（幅約１３０ｍｍ、高さ約１４０ｍｍ）、ピルケースホルダ用Ｅ（メッシュ。幅約８０ｍｍ、高さ約３４ｍｍ）、ティッシュホルダ用Ｆ（幅約８０ｍｍ、高さ約７５ｍｍ）、スティックホルダ用Ｇ（幅約２３ｍｍ、高さ約１４９ｍｍ）である。
【００２６】
基材１０の外側表面１０ｂには、例えば、貴重品を収容する収納部３０を設けるが、これに限定されない。内側表面１０ａにとる漬けられる収納部３０は、例えば、タバコ・ライタ用Ｈ（幅約８８ｍｍ、高さ約１０２ｍｍ）、通帳Ｉ（幅約９５ｍｍ、高さ約１３０ｍｍ）、財布用Ｊ（幅約１２２ｍｍ、高さ約８０ｍｍ）、携帯電話機用Ｋ（幅約６０ｍｍ、高さ約８０ｍｍ）、キーケース用Ｌ（幅約６２ｍｍ、高さ約８０ｍｍ）、定期券入れ・名刺入れ用Ｍ（幅約８６ｍｍ、高さ約８０ｍｍ）、キャンディ用Ｎ（メッシュ。幅約１２４ｍｍ＋９０ｍｍ、高さ約３０ｍｍ）である。
【００２７】
基材１０には保持部材２０、２１をそれぞれ構成する保持部材半体２０ａ、２０ｂ、２１ａ、２１ｂが設けられている。保持部材半体２０ａ、２０ｂ、２１ａ、２１ｂは厚手の布製（ベルト用材料）であり、幅約５０ｍｍ、長さ約５５ｍｍ（内、縫い代約５ｍｍ）である。保持部材半体２０ａ、２１ａには面ファスナのループ片（幅約４０ｍｍ、長さ約３０ｍｍ）が縫い付けられ、保持部材半体２０ｂ、２１ｂには面ファスナのフック片（幅約４０ｍｍ、長さ約２０ｍｍ）が縫い付けられている。保持部材半体２０ａ、２０ｂの係合面（フック面、ループ面）が表裏逆になっている。保持部材半体２１ａ、２１ｂの係合面（フック面、ループ面）も表裏逆になっている。
【００２８】
図４（ａ）に示すような、通常は平坦な基材１０を一方の面（例えば内側表面１０ａ）を内側にして図４（ｂ）に示すように折り曲げ、図４（ｃ）に示すように保持部材２０、２１（保持部材半体２０ａ、２０ｂ、２１ａ、２１ｂ）を用いてロックする。収納態様を図４（ｃ）の状態から変えるには保持部材２０、２１のロックを解除し、今度は逆の面（例えば外側表面１０ｂ）を内側にして図４（ｄ）に示すように折り曲げて図４（ｅ）に示すようにロックすれば良い。
【００２９】
この実施例によれば、内側にする面を変えて折り曲げるだけで簡易に収納態様を変えることができる。
【００３０】
なお、この例では、図５（ａ）に示すように、底部１３が下になるようにバッグ（カバン類）２００に小物収容具１００を収容するようにしているが、図５（ｂ）に示すように中間部（底部）１３が側面に来るようにバッグ（カバン類）２００に小物収容具１００を収容しても良い。また、小物収容具１００の基材１０の形状として矩形でなく、円、楕円、菱形等の形状を採用しても良い。
【実施例２】
【００３１】
つぎにこの発明のリュックサック用の小物収容具に適用した実施例２について説明する。
図６は、実施例２の小物収容具５００がリュックサック６００に収容された状態を示している。なお、図６において、小物収容具５００の基材５０の面のうち、折り曲げられて対面する面を内側表面５０ａと呼び、逆の方向を向く面を外側表面５０ｂと呼ぶことにする。図７は、実施例２の小物収容具５００の基材５０の内側表面５０ａの一部の平面図であり、図８は、実施例２の小物収容具５００の基材５０の一部の外側表面５０ｂの平面図である。
【００３２】
図６、図７および図８において、この小物収容具５００は、本来、図６に二点鎖線で示すような、平坦のものであり、これを図６に矢印に示すように例えば破線の２本の折り曲げ線５３ａ、５３ｂにそって「コ」字形状の折り曲げてリュックサック６００に収容して使用する。折り曲げた状態は保持部材６０、６１により保持される（保持部材６１は図１では隠れている）。なお、基材５０のうち、折り曲げられて構成される２つの部分５１、５２を基材半体と呼び、基材半体５１、５２の間の連結部分を中間部（底部ともいう）５３という。具体的な例では、基材半体５１、５２、中間部５３は個別の樹脂片から構成され、布製のカバー等により一体に結合されている。もちろん、一枚の樹脂材料で基材半体５１、５２、中間部５３を構成し、２本の折り曲げ線５３ａ、５３ｂに沿って折り曲げを容易にする加工（例えば溝を形成する）を施しても良い。
【００３３】
小物収容具５００は、基本的にはポリプロピレンのような樹脂材料から構成された矩形板状の基材５０を含む。基材５０の大きさは例えば幅約２５０ｍｍ×長さ約７２０（＝３２０（基材半体５１）＋８０（中間部５３）＋３２０（基材半体５２）ｍｍである。厚さは、弾性等に左右されるが、典型的には、約２ｍｍである。基材５０には布等からなる装飾用または補強用等の目的でカバーが被覆されていても良い。基材５０の内側表面５０ａおよび外側表面５０ｂにはそれぞれ複数の収納部７０が設けられている。収納部７０の形状や大きさは収納目的に応じたものであり、また適宜に蓋７１が設けられる。
【００３４】
また一方の基材半体５１の突端には雨よけ８０が縫い付け等により取り付けられている。雨よけ８０は幅約２５０ｍｍ、長さ約２００ｍｍであり、例えばナイロン等の布地に防水コーティングを施して構成される。
【００３５】
基材５０の内側表面５０ａには、図９（ａ）に示すように斜線部分に収納部７０を設け、外側表面５０ｂには図９（ｂ）に示すように斜線部に収納部７０を設けている。折り曲げたときに内側になる面を内側表面５０ａとしたときには図１０（ａ）に示すように収納部７０が配置され、他方、折り曲げたときに内側になる面を外側表面５０ｂとしたときには図１０（ｂ）に示すように収納部７０が配置される。図１０（ａ）では内側表面５０ａ（基材半体５２）の収納部３０が雨よけにより防護され、図１０（ｂ）では外側表面５０ｂ（基材半体５１）の収納部３０が雨よけにより防護される。実施例１と同様に収容形態も簡易に変更されることは明らかである。
【００３６】
具体的な収納部７０の構成は図７および図８に示すとおりである。なお、図７〜１０では保持部材６０、６１を示していない。また保持部材６０、６１は実施例１の保持部材２０、２１と同様に保持部材半体から構成される。
【００３７】
この実施例によれば、内側にする面を代えて折り曲げるだけで簡易に収納態様を変えることができる。雨よけで保持される収容部を変えることができる。なお、この例では収納部を限定的に設けたが実施例１のように全面的に設けても良い。
【００３８】
なお、この発明は上述の実施例に限定されるものではなくその趣旨を逸脱しない範囲で種々変更が可能である。例えば、上述の例では、基材を一層としたが、２枚の基材を重ねて構成しても良い。この場合、裏表を代えるときに引きつらないように、長孔で係合して２枚の基材がずれるようにすることが好ましい。保持部材として面ファスナを用いたが、どのような保持部材を用いても良い。ゴム等の弾性部材を用いても良いし、磁石等を用いても良い。また、上述例では、女性用の小型バッグ、リュックサックを例に説明したが、この発明は広くカバン類の小物収容具として適用できることはもちろんである。その他、今までに説明した変更等を採用することができる。
【図面の簡単な説明】
【００３９】
【図１】この発明の実施例１の小物収容具の使用態様を説明する図である。
【図２】上述実施例１の小物収容具の一方の面の平面図である。
【図３】上述実施例１の小物収容具の他方の面の平面図である。
【図４】上述実施例１の小物収容具の収納操作を説明する図である。
【図５】上述実施例１の小物収容具の収納配置例を説明する図である。
【図６】この発明の実施例２の小物収容具の使用態様を説明する図である。
【図７】上述実施例２の小物収容具の一方の面の一部の平面図である。
【図８】上述実施例２の小物収容具の他方の面の一部の平面図である。
【図９】上述実施例２の小物収容具を各面の収納部配置領域を説明する図である。
【図１０】上述実施例２の小物収容具を異なる収容形態を説明する図である。
【符号の説明】
【００４０】
１０      基材
１０ａ      内側表面
１０ｂ      外側表面
１１、１２      基材半体
１３      中間部（底部）
２０、２１      保持部材
２０ａ、２０ｂ、２１ａ、２１ｂ      保持部材半体
３０      収納部
３１      蓋
５０      基材
５０ａ      内側表面
５０ｂ      外側表面
５１、５２      基材半体
５３      中間部
６０、６１      保持部材
６１      保持部材
７０      収納部
７０      収納部
７１      蓋
１００      小物収容具
２００      バッグ（カバン類）
５００      小物収容具
６００      リュックサック
【図１】
2006015027.tif 000003
【図２】
2006015027.tif 000004
【図３】
2006015027.tif 000005
【図４】
2006015027.tif 000006
【図５】
2006015027.tif 000007
【図６】
2006015027.tif 000008
【図７】
2006015027.tif 000009
【図８】
2006015027.tif 000010
【図９】
2006015027.tif 000011
【図１０】
2006015027.tif 000012